(57)【特許請求の範囲】
【請求項１】
モルタルを吐出するモルタル吹付用ノズルであって、
ノズル部分の内径は、モルタルの吐出口に向かうにつれて次第に小さくなる形状を有するゴム製のノズル部分を先端に備え、
該ノズル部分にかぶせる金属製のかぶせ部材を有し、
該かぶせ部材は、前記ノズル部分を内側方向へ付勢する複数の付勢部材で構成されており、
前記付勢部材として、複数の板部材が基部に固着してあり、
各板部材が、内側方向へ付勢する板ばねとして機能し、
前記かぶせ部材は、
前記基部の内周面に第二のネジ山を備えており、
前記ノズル部分の取り付け部分の外周面に、前記第二のネジ山と螺合するように形成されている第一のネジ山の長手方向の幅が、前記かぶせ部材の前記第二のネジ山の長手方向の幅よりも長いことを特徴とするモルタル吹付用ノズル。
【請求項２】
モルタルを吐出するモルタル吹付用ノズルであって、
ノズル部分の内径は、モルタルの吐出口に向かうにつれて次第に小さくなる形状を有するゴム製のノズル部分を先端に備え、
該ノズル部分にかぶせる金属製のかぶせ部材を有し、
該かぶせ部材は、前記ノズル部分を内側方向へ付勢する複数の付勢部材で構成されており、
前記付勢部材として、複数の板部材が基部に固着してあり、
各板部材が、互いに一部が螺旋状に重なり合いながら内径を拡大又は縮小することが可能な構造で形成されていることを特徴とするモルタル吹付用ノズル。
【請求項３】
先端に取り付けられているゴム製のノズル部分の内径が、モルタルの吐出口に向かうにつれて次第に小さくなる形状を有するモルタル吹付用ノズルにかぶせるかぶせ部材であって、
前記ノズル部分を内側方向へ付勢する複数の付勢部材で構成されており、
前記付勢部材として、複数の板部材が基部に固着されており、
各板部材が、内側方向へ付勢する板ばねとして機能し、
前記基部の内周面に第二のネジ山を備えており、
前記ノズル部分の取り付け部分の外周面に、前記第二のネジ山と螺合するように形成されている第一のネジ山の長手方向の幅が、前記第二のネジ山の長手方向の幅よりも長いことを特徴とするかぶせ部材。
【請求項４】
先端に取り付けられているゴム製のノズル部分の内径が、モルタルの吐出口に向かうにつれて次第に小さくなる形状を有するモルタル吹付用ノズルにかぶせるかぶせ部材であって、
前記ノズル部分を内側方向へ付勢する複数の付勢部材で構成されており、
前記付勢部材として、複数の板部材が基部に固着されており、
各板部材が、互いに一部が螺旋状に重なり合いながら内径を拡大又は縮小することが可能な構造で形成されていることを特徴とするかぶせ部材。
【発明の詳細な説明】
【技術分野】
【０００１】
本発明は、モルタル吹き付け時にノズルの先端部分において詰まりにくいモルタル吹付用ノズル及びかぶせ部材に関する。
【背景技術】
【０００２】
コンクリート構造物の補修・補強工事等を行う場合、モルタル等を補修部等に吹付ける。斯かる作業には、先端部分にゴム製のノズルを設けたモルタル吹付用ノズルが用いられている。
【０００３】
図７は、従来のモルタル吹付用ノズルの構成を示す、モルタル吹付用ノズルの長さ方向の断面図である。図７に示すように、従来のモルタル吹付用ノズル１は、円筒状の基部２へ練り上げられたモルタルをポンプ（不図示）により圧送し、圧縮空気等の加圧した空気を利用してモルタルを先端部分から吐出させ、コンクリート構造物等へ吹付ける。
【０００４】
圧縮空気は、圧縮空気導入管３により基部２の外周部８に導かれ、さらに外周部８に形成されたエアー孔８ａを介して基部２の内部に導入される。エアー孔８ａから噴出した圧縮空気は、基部２の内部に充填されるモルタルをノズルの先端部分６の方向に押し出し、ノズルの先端部分６の吐出口６ｂよりモルタルを吐出させる（特許文献１参照）。
【先行技術文献】
【特許文献】
【０００５】
【特許文献１】特開２００４−２７０２３２号公報
【発明の概要】
【発明が解決しようとする課題】
【０００６】
しかし、特許文献１に開示されているモルタル吹付用ノズルでは、ノズルの先端部分６にモルタルが詰まりやすく、ひとたびモルタルが詰まった場合には、ノズルの先端部分６がゴム製であることが多いためにノズルの先端部分６が外周方向へと膨張する。したがって、さらにモルタルが押し込まれることにより詰まりが解消せず、ノズルの先端部分６の内部でモルタルが硬化した場合には先端部分６だけでなくノズルも含めた吹付装置全体を分解して清掃する必要が生じ、作業効率が著しく損なわれるおそれがあるという問題点があった。
【０００７】
また、少しでもノズルの先端部分６にモルタルが詰まりにくくするためにノズルの形状をモルタルの先端部分６の吐出口６ｂに向かって内径が次第に小さくなる形状にしていることが多い。しかし、圧縮空気がノズルの先端部分１６の長さ方向の中心軸近傍に集中することから、ゴム製のノズルの先端部分６の膨張に伴い、詰まったモルタルに部分的な空気の通り穴が生じ、圧縮空気の圧力を強めた場合であっても通り穴から漏れ出るので詰まりを解消することが困難になるという問題点もあった。
【０００８】
本発明は斯かる事情に鑑みてなされたものであり、モルタル吹き付け時にノズルの先端部分において詰まりにくいモルタル吹付用ノズル及びかぶせ部材を提供することを目的とする。
【課題を解決するための手段】
【０００９】
上記目的を達成するために第１発明に係るモルタル吹付用ノズルは、モルタルを吐出するモルタル吹付用ノズルであって、ノズル部分の内径は、モルタルの吐出口に向かうにつれて次第に小さくなる形状を有するゴム製のノズル部分を先端に備え、該ノズル部分にかぶせる金属製のかぶせ部材を有し、該かぶせ部材は、前記ノズル部分を内側方向へ付勢する複数の付勢部材で構成されており、前記付勢部材として、複数の板部材が基部に固着してあり、各板部材が、内側方向へ付勢する板ばねとして機能し、前記かぶせ部材は、前記基部の内周面に第二のネジ山を備えており、前記ノズル部分の取り付け部分の外周面に、前記第二のネジ山と螺合するように形成されている第一のネジ山の長手方向の幅が、前記かぶせ部材の前記第二のネジ山の長手方向の幅よりも長いことを特徴とする。
【００１０】
第１発明では、ノズル部分の内径が、モルタルの吐出口に向かうにつれて次第に小さくなる形状を有するゴム製のノズル部分を先端に備えており、該ノズル部分にかぶせる金属製のかぶせ部材を有している。該かぶせ部材は、ノズル部分を内側方向へ付勢する複数の付勢部材で構成されているので、モルタルが目詰まりしてゴム製のノズル部分が膨張しようとした場合であっても、かぶせ部材の付勢力により抑制することができる。したがって、目詰まり部分に圧力が集中しやすくなり、目詰まりが解消される可能性が高くなる。また、詰まったモルタルに部分的な空気の通り穴が生じて圧縮空気が漏れ出る可能性も低くなるので、圧縮空気の供給量を増大させることにより目詰まりを解消させることも可能となる。これにより、作業途上で吹付用ノズルを交換する必要もなく、円滑な作業を行うことが可能となる。
また、かぶせ部材は、付勢部材として、複数の板部材を基部に固着している。各板部材が、内側方向へ付勢する板ばねとして機能することにより、目詰まり等によりゴム製のノズル部分が膨張しようとした場合であっても、かぶせ部材の付勢力により抑制することができる。したがって、目詰まり部分に圧力が集中しやすくなり、目詰まりが解消される可能性が高くなる。また、詰まったモルタルに部分的な空気の通り穴が生じて圧縮空気が漏れ出る可能性も低くなるので、圧縮空気の供給量を増大させることにより目詰まりを解消させることも可能となる。
さらに、かぶせ部材は、基部の内周面に第二のネジ山を備えており、ノズル部分の取り付け部分の外周面に、第二のネジ山と螺合するように形成されている第一のネジ山の長手方向の幅が、かぶせ部材の第二のネジ山の長手方向の幅よりも長いので、かぶせ部材をどの程度ネジ込むかに応じてかぶせ部材の板部材による付勢力を調整することができる。
【００１１】
次に、上記目的を達成するために第２発明に係るモルタル吹付用ノズルは、モルタルを吐出するモルタル吹付用ノズルであって、ノズル部分の内径は、モルタルの吐出口に向かうにつれて次第に小さくなる形状を有するゴム製のノズル部分を先端に備え、該ノズル部分にかぶせる金属製のかぶせ部材を有し、該かぶせ部材は、前記ノズル部分を内側方向へ付勢する複数の付勢部材で構成されており、前記付勢部材として、複数の板部材が基部に固着してあり、各板部材が、互いに一部が螺旋状に重なり合いながら内径を拡大又は縮小することが可能な構造で形成されていることを特徴とする。
【００１２】
第２発明では、ノズル部分の内径が、モルタルの吐出口に向かうにつれて次第に小さくなる形状を有するゴム製のノズル部分を先端に備えており、該ノズル部分にかぶせる金属製のかぶせ部材を有している。該かぶせ部材は、ノズル部分を内側方向へ付勢する複数の付勢部材で構成されているので、モルタルが目詰まりしてゴム製のノズル部分が膨張しようとした場合であっても、かぶせ部材の付勢力により抑制することができる。したがって、目詰まり部分に圧力が集中しやすくなり、目詰まりが解消される可能性が高くなる。また、詰まったモルタルに部分的な空気の通り穴が生じて圧縮空気が漏れ出る可能性も低くなるので、圧縮空気の供給量を増大させることにより目詰まりを解消させることも可能となる。これにより、作業途上で吹付用ノズルを交換する必要もなく、円滑な作業を行うことが可能となる。
また、かぶせ部材は、付勢部材として、複数の板部材を基部に固着している。各板部材が、内側方向へ付勢する板ばねとして機能することにより、目詰まり等によりゴム製のノズル部分が膨張しようとした場合であっても、かぶせ部材の付勢力により抑制することができる。したがって、目詰まり部分に圧力が集中しやすくなり、目詰まりが解消される可能性が高くなる。また、詰まったモルタルに部分的な空気の通り穴が生じて圧縮空気が漏れ出る可能性も低くなるので、圧縮空気の供給量を増大させることにより目詰まりを解消させることも可能となる。
さらに、かぶせ部材は、各板部材が、互いに一部が螺旋状に重なり合いながら内径を拡大又は縮小することが可能な構造で形成されているので、目詰まり等によりゴム製のノズル部分が膨張しようとした場合であっても、かぶせ部材の付勢力により抑制することができる。
【００１７】
次に、上記目的を達成するために第３発明に係るかぶせ部材は、先端に取り付けられているゴム製のノズル部分の内径が、モルタルの吐出口に向かうにつれて次第に小さくなる形状を有するモルタル吹付用ノズルにかぶせるかぶせ部材であって、前記ノズル部分を内側方向へ付勢する複数の付勢部材で構成されており、前記付勢部材として、複数の板部材が基部に固着されており、各板部材が、内側方向へ付勢する板ばねとして機能し、前記基部の内周面に第二のネジ山を備えており、前記ノズル部分の取り付け部分の外周面に、前記第二のネジ山と螺合するように形成されている第一のネジ山の長手方向の幅が、前記第二のネジ山の長手方向の幅よりも長いことを特徴とする。
【００１８】
第３発明では、ノズル部分の内径が、モルタルの吐出口に向かうにつれて次第に小さくなる形状を有するモルタル吹付用ノズルにかぶせるかぶせ部材が、ノズル部分を内側方向へ付勢する複数の付勢部材で構成されているので、モルタルが目詰まりしにくく、ゴム製のノズル部分が膨張しようとした場合であっても確実に抑制することができる。また、目詰まり部分に圧力が集中しやすくなり、目詰まりが解消される可能性が高くなる。したがって、従来の市販のモルタル吹付用ノズルであっても、円滑な作業を行うことが可能となる。
また、かぶせ部材は、付勢部材として、複数の板部材が基部に固着されており、各板部材が、内側方向へ付勢する板ばねとして機能することにより、目詰まり等によりゴム製のノズル部分が膨張しようとした場合であっても、かぶせ部材の付勢力により抑制することができる。したがって、目詰まり部分に圧力を集中させやすくなり、目詰まりが解消される可能性が高くなる。
さらに、かぶせ部材は、基部の内周面に第二のネジ山を備えており、ノズル部分の取り付け部分の外周面に、第二のネジ山と螺合するように形成されている第一のネジ山の長手方向の幅が、かぶせ部材の第二のネジ山の長手方向の幅よりも長いので、かぶせ部材をどの程度ネジ込むかに応じてかぶせ部材の板部材による付勢力を調整することができる。
【００１９】
次に、上記問題を解決するために第４発明に係るかぶせ部材は、先端に取り付けられているゴム製のノズル部分の内径が、モルタルの吐出口に向かうにつれて次第に小さくなる形状を有するモルタル吹付用ノズルにかぶせるかぶせ部材であって、前記ノズル部分を内側方向へ付勢する複数の付勢部材で構成されており、前記付勢部材として、複数の板部材が基部に固着されており、各板部材が、互いに一部が螺旋状に重なり合いながら内径を拡大又は縮小することが可能な構造で形成されていることを特徴とする。
【００２０】
第４発明では、ノズル部分の内径が、モルタルの吐出口に向かうにつれて次第に小さくなる形状を有するモルタル吹付用ノズルにかぶせるかぶせ部材が、ノズル部分を内側方向へ付勢する複数の付勢部材で構成されているので、モルタルが目詰まりしにくく、ゴム製のノズル部分が膨張しようとした場合であっても確実に抑制することができる。また、目詰まり部分に圧力が集中しやすくなり、目詰まりが解消される可能性が高くなる。したがって、従来の市販のモルタル吹付用ノズルであっても、円滑な作業を行うことが可能となる。
また、かぶせ部材は、付勢部材として、複数の板部材が基部に固着されており、各板部材が、内側方向へ付勢する板ばねとして機能することにより、目詰まり等によりゴム製のノズル部分が膨張しようとした場合であっても、かぶせ部材の付勢力により抑制することができる。したがって、目詰まり部分に圧力を集中させやすくなり、目詰まりが解消される可能性が高くなる。
さらに、かぶせ部材は、複数の板部材が基部に固着されており、各板部材が、互いに一部が螺旋状に重なり合いながら内径を拡大又は縮小することが可能な構造で形成されているので、目詰まり等によりゴム製のノズル部分が膨張しようとした場合であっても、かぶせ部材の付勢力により確実に抑制することができる。
【発明の効果】
【００２５】
本発明によれば、かぶせ部材が、ノズル部分を内側方向へ付勢する複数の付勢部材で構成されているので、モルタルが目詰まりしてゴム製のノズル部分が膨張しようとした場合であっても、かぶせ部材の付勢力により抑制することができる。したがって、目詰まり部分に圧力が集中しやすくなり、目詰まりが解消される可能性が高くなる。また、詰まったモルタルに部分的な空気の通り穴が生じて圧縮空気が漏れ出る可能性も低くなるので、圧縮空気の供給量を増大させることにより目詰まりを解消させることも可能となる。これにより、作業途上で吹付用ノズルを交換する必要もなく、円滑な作業を行うことが可能となる。
また、かぶせ部材は、付勢部材として、複数の板部材を基部に固着している。各板部材が、内側方向へ付勢する板ばねとして機能することにより、目詰まり等によりゴム製のノズル部分が膨張しようとした場合であっても、かぶせ部材の付勢力により抑制することができる。したがって、目詰まり部分に圧力が集中しやすくなり、目詰まりが解消される可能性が高くなる。また、詰まったモルタルに部分的な空気の通り穴が生じて圧縮空気が漏れ出る可能性も低くなるので、圧縮空気の供給量を増大させることにより目詰まりを解消させることも可能となる。
さらに、かぶせ部材は、基部の内周面に第二のネジ山を備えており、ノズル部分の取り付け部分の外周面に、第二のネジ山と螺合するように形成されている第一のネジ山の長手方向の幅が、かぶせ部材の第二のネジ山の長手方向の幅よりも長いので、かぶせ部材をどの程度ネジ込むかに応じてかぶせ部材の板部材による付勢力を調整することができる。
あるいは、かぶせ部材は、各板部材が、互いに一部が螺旋状に重なり合いながら内径を拡大又は縮小することが可能な構造で形成されているので、目詰まり等によりゴム製のノズル部分が膨張しようとした場合であっても、かぶせ部材の付勢力により確実に抑制することができる。
【図面の簡単な説明】
【００２６】
【図１】本発明の実施の形態に係るモルタル吹付用ノズルの構成を示す二面図である。
【図２】本発明の実施の形態に係るモルタル吹付用ノズルのかぶせ部材の構成を示す正面図である。
【図３】本発明の実施の形態に係るモルタル吹付用ノズルのかぶせ部材の効果を説明するための図である。
【図４】本発明の実施の形態に係るモルタル吹付用ノズルのかぶせ部材の他の構成を示す平面図である。
【図５】本発明の実施の形態に係るモルタル吹付用ノズルのかぶせ部材をネジ止めする場合の概略平面図である。
【図６】本発明の実施の形態に係るモルタル吹付用ノズルのかぶせ部材をネジ止めする場合の模式断面図である。
【図７】従来のモルタル吹付用ノズルの構成を示す、モルタル吹付用ノズルの長さ方向の断面図である。
【発明を実施するための形態】
【００２７】
以下、本発明の実施の形態に係るモルタル吹付用ノズルについて、図面に基づいて具体的に説明する。以下の実施の形態は、特許請求の範囲に記載された発明を限定するものではなく、実施の形態の中で説明されている特徴的事項の組み合わせの全てが解決手段の必須事項であるとは限らないことは言うまでもない。
【００２８】
また、本発明は多くの異なる態様にて実施することが可能であり、実施の形態の記載内容に限定して解釈されるべきものではない。実施の形態を通じて同じ要素には同一の符号を付している。
【００２９】
図１は、本発明の実施の形態に係るモルタル吹付用ノズルの構成を示す二面図である。図１（ａ）は、本発明の実施の形態に係るモルタル吹付用ノズルの、モルタル吹付用ノズルの長さ方向の断面図であり、図１（ｂ）は、図１（ａ）のＡ−Ａ断面図である。
【００３０】
図１に示すように、本発明の実施の形態に係るモルタル吹付用ノズル１０は、モルタル供給管路である円筒状の基部１２へ練り上げられたモルタルを図示しないポンプにより圧送する。基部１２の先端に、ジョイント１４を介して接続される先端部分（ノズル部分）１６を備えている。
【００３１】
モルタル吹付用ノズル１０の先端部分１６は、モルタル流入口である基端１６ａからモルタル吐出口である先端１６ｂに向かって内径が徐々に縮小するように形成されている。先端部分１６は、ゴム材料（樹脂材料）等により形成されている。
【００３２】
なお、先端部分１６の基端１６ａには、ジョイント１４と接合した場合に容易に外れないよう、凹凸１６ｃが形成されている。
【００３３】
ジョイント１４は、基部１２側の端部である基端１４ａから先端部分１６側の端部である先端１４ｂに向かって徐々に縮小するように形作られている。ジョイント１４は、ステンレス鋼等で形成される。
【００３４】
基部１２の先端（すなわち、ジョイント１４の基端１４ａ）には、圧縮空気供給部１８が設けられており、圧縮空気供給部１８は、図示しない圧縮空気供給源に接続されている。圧縮空気供給部１８には、先端部分（ノズル部分）１６の長さ方向の中心軸に対して一定角度傾斜した複数の圧縮空気供給口１８ａが設けられている。圧縮空気を供給することにより、モルタルを先端部分１６の先端１６ｂから吐出させ、コンクリート構造物等へ吹き付ける。
【００３５】
先端部分１６には、外側を覆う金属製のかぶせ部材２０をかぶせてある。図２は、本発明の実施の形態に係るモルタル吹付用ノズル１０のかぶせ部材２０の構成を示す正面図である。図２に示すように、本実施の形態に係るかぶせ部材２０は、内側方向へ付勢する複数の板部材２２が基部２１（かぶせ部材２０の底部側の周縁部）に固着してあり、弾性力によりノズル部分の内側方向へ付勢することが可能な付勢部材として機能する。すなわち、複数の板部材２２が内側方向へ付勢する板ばねとして機能する。かぶせ部材２０は、ステンレス鋼等で形成される。
【００３６】
図３は、本発明の実施の形態に係るモルタル吹付用ノズル１０のかぶせ部材２０の効果を説明するための図である。図３（ａ）に示すように、基端１６ａからモルタルが供給され、矢印方向に、すなわち先端１６ｂに向かって移動して先端１６ｂから吐出される。
【００３７】
しかし、目詰まりが生じた場合、図３（ｂ）に示すように、ゴム製の先端部分１６が膨張する。したがって、圧縮空気が先端部分１６の長さ方向の中心軸近傍に集中することから、詰まったモルタルに部分的な空気の通り穴が生じ、圧縮空気が漏れ出る可能性もあり、圧縮空気の供給量を増大させる、例えば吐出圧を高めることにより目詰まりを解消することが困難になる。
【００３８】
そこで、本実施の形態では、図３（ｃ）に示すように、ゴム製の先端部分１６の外側を覆うようにかぶせ部材２０をかぶせている。この場合、モルタルが目詰まりしてゴム製の先端部分１６が膨張しようとした場合であっても、かぶせ部材２０の付勢力により抑制することができる。したがって、目詰まり部分に圧力が集中しやすくなり、目詰まりが解消される可能性が高くなる。
【００３９】
また、詰まったモルタルに部分的な空気の通り穴が生じて圧縮空気が漏れ出る可能性も低くなるので、圧縮空気の供給量を増大させることにより目詰まりを解消させることも可能となる。これにより、作業途上で吹付用ノズルを交換する必要もなく、円滑な作業を行うことが可能となる。
【００４０】
なお、かぶせ部材２０の構成は、内側方向へ付勢する複数の板部材２２が基部２１（かぶせ部材２０の底部側の周縁部）に固着する構成に限定されるものではない。図４は、本発明の実施の形態に係るモルタル吹付用ノズル１０のかぶせ部材２０の他の構成を示す平面図である。
【００４１】
図４に示すように、本実施の形態に係るかぶせ部材２０は、内側方向へ付勢する複数の板部材２２が基部２１（かぶせ部材２０の底部側の周縁部）に固着してあり、螺旋状に巻き付けるように互いに一部が重なり合うよう構成されている。互いに一部が重なり合うことにより、内側方向へ付勢することが可能な付勢部材として機能する。
【００４２】
以上のように本実施の形態によれば、かぶせ部材２０が、ノズル部分を内側方向へ付勢する付勢部材２２で構成されているので、モルタルが目詰まりしてゴム製の先端部分１６が膨張しようとした場合であっても、かぶせ部材２０の付勢力により抑制することができる。したがって、目詰まり部分に圧力が集中しやすくなり、目詰まりが解消される可能性が高くなる。また、詰まったモルタルに部分的な空気の通り穴が生じて圧縮空気が漏れ出る可能性も低くなるので、圧縮空気の供給量を増大させることにより目詰まりを解消させることも可能となる。これにより、作業途上で吹付用ノズルを交換する必要もなく、円滑な作業を行うことが可能となる。
【００４３】
なお、本発明は上記実施例に限定されるものではなく、本発明の趣旨の範囲内であれば多種の変更、改良等が可能である。例えばかぶせ部材２０をモルタル吹付用ノズル１０の先端部分１６にネジ止めするようにしても良い。
【００４４】
図５は、本発明の実施の形態に係るモルタル吹付用ノズル１０のかぶせ部材２０をネジ止めする場合の概略平面図である。図５では、分かりやすくするために先端部分（ノズル部分）１６を省略している。
【００４５】
図５に示すように、本発明の実施の形態に係るモルタル吹付用ノズル１０は、かぶせ部材２０の基部２１の内周面に第二のネジ山（雌ネジ又は雄ネジ）２１ａを備えている。モルタル吹付用ノズル１０のジョイント（取り付け部分）１４の先端の外周面に、モルタル吹付用ノズル１０の第二のネジ山（雄ネジ又は雌ネジ）２１ａと螺合するように、第一のネジ山（雄ネジ又は雌ネジ）１０ａが形成されている。
【００４６】
本実施の形態では、第一のネジ山１０ａの長手方向の幅ｂ１の方が、第二のネジ山２１ａの長手方向の幅ｂ２よりも長くなるように構成されている。したがって、かぶせ部材２０を第一のネジ山１０ａの最後まで螺合させた場合、第一のネジ山１０ａの端部がかぶせ部材２０の板部材２２の付勢力に抗して板部材２２を押し広げるようになる。つまり、第二のネジ山２１ａを第一のネジ山１０ａにどの程度まで螺合させる（ネジ込む）かによって、かぶせ部材２０の板部材２２の開き具合、すなわち板部材２２による付勢力を調整することができる。
【００４７】
図６は、本発明の実施の形態に係るモルタル吹付用ノズル１０のかぶせ部材２０をネジ止めする場合の模式断面図である。図６（ａ）は、第二のネジ山２１ａを第一のネジ山１０ａに一部だけ螺合させた場合を示している。この場合、かぶせ部材２０の板部材２２の傾斜角度θ１は、かぶせ部材２０の製造時のままである。
【００４８】
一方、図６（ｂ）は、第二のネジ山２１ａを第一のネジ山１０ａの最後まで螺合させた場合を示している。この場合、第一のネジ山１０ａの先端部により、かぶせ部材２０の板部材２２が押し広げられるので、板部材２２の傾斜角度θ２は、かぶせ部材２０の製造時よりも大きくなる（θ２＞θ１）。したがって、かぶせ部材２０をどの程度まで螺合させるかによって、板部材２２の傾斜角度を調整することができ、モルタルの濃度に応じて最適な傾斜角度に設定することができ、かぶせ部材２０の板部材２２による付勢力を調整することができる。
【００４９】
もちろん、第一のネジ山１０ａの長手方向の幅ｂ１と、第二のネジ山２１ａの長手方向の幅ｂ２とが同じであっても、かぶせ部材２０を深く螺合させることができれば同様の効果が期待できる。
【符号の説明】
【００５０】
１０  モルタル吹付用ノズル
１０ａ  第一のネジ山
１２  基部
１４  ジョイント
１６  先端部分（ノズル部分）
１８  圧縮空気供給部
２０  かぶせ部材
２１  基部（かぶせ部材の底部側の周縁部）
２１ａ  第二のネジ山
２２  板部材（付勢部材）
【図１】
0006613067.tif 000002
【図２】
0006613067.tif 000003
【図３】
0006613067.tif 000004
【図４】
0006613067.tif 000005
【図５】
0006613067.tif 000006
【図６】
0006613067.tif 000007
【図７】
0006613067.tif 000008